(57)【要約】【課題】多数のノブを電子機器の操作子本体の各装着用軸部に装着する作業を容易にする。【解決手段】ノブ装着助成治具は、電子機器４０の複数の操作子４５の装着用軸部４３に各１つのノブ２６を一斉に装着する作業を助成するためのものである。弾性材で構成されるノブ保持シート２５には、ノブ仮保持台１０の軸体１５の仮位置決め用軸部１７に対応する位置にノブ保持孔２５ａが形成される。ノブ仮保持台１０の上に、離脱用プレート２１を載置し、仮位置決め用軸部１７に、ノブ２６の凹部２６ａを遊嵌した状態で、ノブ保持シート２５のノブ保持孔２５ａにノブ２６を嵌合して外側から弾性的に保持させる。ノブ保持孔２５ａの平面視における配列は、仮位置決め用軸部１７と共に、装着用軸部４３の配列と一致している。離脱用プレート２１を上方に変位させると、ノブ保持シート２５と一緒に全ノブ２６がノブ仮保持台１０から離脱される。【選択図】図６
2009087665.tif 000002
【特許請求の範囲】
【請求項１】
凹部を有するノブの前記凹部が嵌合されることで前記ノブが装着される装着用軸部を各々有した操作子本体が多数個設けられた電子機器の前記各装着用軸部の位置に、複数のノブを一括して移動させると共に、該複数のノブの各々を対応する操作子本体の装着用軸部に一括して装着することを助成するためのノブ装着助成治具であって、
前記ノブが装着されるべき前記複数の操作子本体の装着用軸部に対応して設けられた複数のノブ保持部を有するシート状のノブ保持シートを有し、
前記ノブ保持シートの前記複数の各ノブ保持部は、少なくとも内縁部が弾性材で成る透孔を有し、該透孔に各１つのノブが嵌合されることで該ノブを弾性的に保持することが可能であり、
且つ、前記複数のノブ保持部の、平面視における配列は、前記ノブが装着されるべき前記複数の操作子本体の装着用軸部の平面視における配列と一致していることを特徴とするノブ装着助成治具。
【請求項２】
前記ノブ保持シートの各装着用軸部に対応する仮位置決め用軸部を有して前記ノブ保持シートとは別体に構成されたノブ仮保持台をさらに有し、前記仮位置決め用軸部の平面視における配列は、前記ノブが装着されるべき前記複数の操作子本体の装着用軸部の平面視における配列と一致しており、且つ、前記仮位置決め用軸部は、前記操作子本体の装着用軸部よりも小径で、前記ノブの前記凹部が遊嵌されることで、前記ノブを仮保持可能に構成され、前記ノブ保持シートを上方から下降させて、前記ノブ保持シートの前記各ノブ保持部の透孔に、前記装着されるべき複数のノブを嵌合することが可能に構成されたことを特徴とする請求項１記載のノブ装着助成治具。
【請求項３】
前記ノブの前記凹部には、該ノブの回転方向の位置を規定するための回転位置規制部が設けられ、前記ノブ仮保持台の前記仮位置決め用軸部及び前記操作子本体の前記装着用軸部には、それぞれ、前記ノブの前記回転位置規制部と係合して該ノブとの回転方向の相対的位置を規定する回転位置規制対応部が設けられたことを特徴とする請求項２記載のノブ装着助成治具。
【請求項４】
前記ノブ仮保持台の前記仮位置決め用軸部が貫通可能な貫通孔と平坦な上面とを有して前記ノブ仮保持台に対して載置及び離脱が自在な離脱用プレートをさらに有し、前記離脱用プレートが前記ノブ仮保持台の上に載置され且つ前記貫通孔を貫通して上方に突出した前記仮位置決め用軸部に前記各ノブの前記凹部を遊嵌させると、前記離脱用プレートの前記上面が前記各ノブの下面を受けるように構成され、前記仮位置決め用軸部に前記各ノブの前記凹部が遊嵌され且つ前記ノブ保持シートの前記ノブ保持部が前記各ノブを保持した状態で、前記離脱用プレートを上方に変位させると、前記ノブ保持シートと一緒に前記ノブが一斉に前記ノブ仮保持台から離脱されるように構成されたことを特徴とする請求項２または３記載のノブ装着助成治具。
【請求項５】
凹部を有するノブの前記凹部が嵌合されることで前記ノブが各々装着される装着用軸部を有した操作子本体が多数個設けられた電子機器の前記各装着用軸部の位置に、複数のノブを一括して移動させると共に、該複数のノブの各々を対応する操作子本体の装着用軸部に一括して装着するためのシート状のノブ付き保持シートであって、
前記ノブが装着されるべき前記複数の操作子本体の装着用軸部に対応して設けられた複数のノブ保持部を有し、
前記複数の各ノブ保持部は、少なくとも内縁部が弾性材で成る透孔を有し、該透孔に各１つのノブが嵌合されていることで該ノブを弾性的に保持しており、
且つ、前記複数のノブ保持部の、平面視における配列は、前記ノブが装着されるべき前記複数の操作子本体の装着用軸部の平面視における配列と一致していることを特徴とするノブ付き保持シート。
【請求項６】
前記複数のノブ保持部に保持されたノブは、それらの高さ方向の寸法が共通であることを特徴とする請求項５記載のノブ付き保持シート。
【請求項７】
凹部を有するノブの前記凹部が嵌合されることで前記ノブが装着される装着用軸部を各々有した操作子本体が多数個設けられた電子機器の前記各装着用軸部に、前記複数のノブを一括して装着する電子機器の製造方法であって、
前記ノブが装着されるべき前記複数の操作子本体の装着用軸部に対応して設けられた複数のノブ保持部であって少なくとも内縁部が弾性材で成る透孔を各々が有するノブ保持部を有したシート状のノブ保持シートの前記各ノブ保持部の前記透孔に、各１つのノブを嵌合して弾性的に保持させる工程と、
前記複数のノブを保持したノブ保持シートを移動させて、前記各ノブの前記凹部の位置を、対応する操作子本体の前記装着用軸部の位置に合わせる工程と、
前記各ノブの前記凹部に、対応する操作子本体の前記装着用軸部を嵌合することで、前記複数のノブを前記対応する操作子本体に装着する工程とを有し、
前記複数のノブ保持部の、平面視における配列は、前記ノブが装着されるべき前記複数の操作子本体の装着用軸部の平面視における配列と一致していることを特徴とする電子機器の製造方法。
【発明の詳細な説明】
【技術分野】
【０００１】
本発明は、多数のノブを電子機器の操作子本体の各装着用軸部に装着するためのノブ装着助成治具及びノブ付き保持シート並びに電子機器の製造方法に関する。
【背景技術】
【０００２】
従来、電子機器の製造過程において、多数の操作子本体の各装着用軸部にノブを各１個装着することが行われている。例えば、下記特許文献１では、電子機器のキーボードパネルに、ノブであるキートップが多数装着される。キートップは、複数個が平ベルトで搬送され、キー挿入ヘッドで把持されて、該当するスイッチ動作軸に嵌入される。
【０００３】
また、例えば、ミキサ装置等のように、非常に多数のノブが装着される電子機器においては、ノブの自動搬送や自動装着は容易でなく、手作業によるのが実情である。
【０００４】
具体的には、製造したノブを目視にて品質検査しつつ袋詰めして次のノブ装着工程へと搬送する。そして、ノブ装着工程では、袋からノブを取り出し、ミキサパネルから突出している操作子本体のノブ装着用の装着用軸部に、ノブを１個ずつ、手で圧入嵌合していく。その際、回転操作式の操作子においては、ノブとノブ装着用の装着用軸部との回転方向の相対的位置を目視で合わせつつ装着する。
【特許文献１】特開昭６０−１２８１２４号公報
【発明の開示】
【発明が解決しようとする課題】
【０００５】
しかしながら、上記したミキサ装置のように、多数のノブを手作業で装着するのは非常に煩雑であり、多くの工数を要するものである。
【０００６】
本発明は上記従来技術の問題を解決するためになされたものであり、その目的は、多数のノブを電子機器の操作子本体の各装着用軸部に装着する作業を容易にすることができるノブ装着助成治具及びノブ付き保持シート並びに電子機器の製造方法を提供することにある。
【課題を解決するための手段】
【０００７】
上記目的を達成するために本発明の請求項１のノブ装着助成治具は、凹部（２６ａ、５１ａ）を有するノブ（２６、５１）の前記凹部が嵌合されることで前記ノブが装着される装着用軸部（４３、５２）を各々有した操作子本体（４４、５０）が多数個設けられた電子機器（４０）の前記各装着用軸部の位置に、複数のノブを一括して移動させると共に、該複数のノブの各々を対応する操作子本体の装着用軸部に一括して装着することを助成するためのノブ装着助成治具であって、前記ノブが装着されるべき前記複数の操作子本体の装着用軸部に対応して設けられた複数のノブ保持部（２５ａ、５６）を有するシート状のノブ保持シート（２５、５５）を有し、前記ノブ保持シートの前記複数の各ノブ保持部は、少なくとも内縁部が弾性材で成る透孔（２５ａ、５６ａ）を有し、該透孔に各１つのノブが嵌合されることで該ノブを弾性的に保持することが可能であり、且つ、前記複数のノブ保持部の、平面視における配列は、前記ノブが装着されるべき前記複数の操作子本体の装着用軸部の平面視における配列と一致していることを特徴とする。
【０００８】
好ましくは、前記ノブ保持シートの各装着用軸部に対応する仮位置決め用軸部（１７）を有して前記ノブ保持シートとは別体に構成されたノブ仮保持台（１０）をさらに有し、前記仮位置決め用軸部の平面視における配列は、前記ノブが装着されるべき前記複数の操作子本体の装着用軸部の平面視における配列と一致しており、且つ、前記仮位置決め用軸部は、前記操作子本体の装着用軸部よりも小径で、前記ノブの前記凹部が遊嵌されることで、前記ノブを仮保持可能に構成され、前記ノブ保持シートを上方から下降させて、前記ノブ保持シートの前記各ノブ保持部の透孔に、前記装着されるべき複数のノブを嵌合することが可能に構成される（請求項２）。
【０００９】
好ましくは、前記ノブ（２６）の前記凹部（２６ａ）には、該ノブの回転方向の位置を規定するための回転位置規制部（２６ａａ）が設けられ、前記ノブ仮保持台（１０）の前記仮位置決め用軸部（１７）及び前記操作子本体（４４）の前記装着用軸部（４３）には、それぞれ、前記ノブの前記回転位置規制部と係合して該ノブとの回転方向の相対的位置を規定する回転位置規制対応部（１７ａ、４３ａ）が設けられる（請求項３）。
【００１０】
好ましくは、前記ノブ仮保持台の前記仮位置決め用軸部が貫通可能な貫通孔（２１ｂ）と平坦な上面（２１ｃ）とを有して前記ノブ仮保持台に対して載置及び離脱が自在な離脱用プレート（２１）をさらに有し、前記離脱用プレートが前記ノブ仮保持台の上に載置され且つ前記貫通孔を貫通して上方に突出した前記仮位置決め用軸部に前記各ノブの前記凹部を遊嵌させると、前記離脱用プレートの前記上面が前記各ノブの下面（２６ｂ）を受けるように構成され、前記仮位置決め用軸部に前記各ノブの前記凹部が遊嵌され且つ前記ノブ保持シートの前記ノブ保持部が前記各ノブを保持した状態で、前記離脱用プレートを上方に変位させると、前記ノブ保持シートと一緒に前記ノブが一斉に前記ノブ仮保持台から離脱されるように構成される（請求項４）。
【００１１】
上記目的を達成するために本発明の請求項５のノブ付き保持シートは、凹部を有するノブの前記凹部が嵌合されることで前記ノブが各々装着される装着用軸部を有した操作子本体が多数個設けられた電子機器の前記各装着用軸部の位置に、複数のノブを一括して移動させると共に、該複数のノブの各々を対応する操作子本体の装着用軸部に一括して装着するためのシート状のノブ付き保持シート（ＳＴ）であって、前記ノブが装着されるべき前記複数の操作子本体の装着用軸部に対応して設けられた複数のノブ保持部を有し、前記複数の各ノブ保持部は、少なくとも内縁部が弾性材で成る透孔を有し、該透孔に各１つのノブが嵌合されていることで該ノブを弾性的に保持しており、且つ、前記複数のノブ保持部の、平面視における配列は、前記ノブが装着されるべき前記複数の操作子本体の装着用軸部の平面視における配列と一致していることを特徴とする。
【００１２】
好ましくは、前記複数のノブ保持部に保持されたノブは、それらの高さ方向の寸法が共通である（請求項６）。
【００１３】
上記目的を達成するために本発明の請求項７の電子楽器の製造方法は、凹部（２６ａ、５１ａ）を有するノブ（２６、５１）の前記凹部が嵌合されることで前記ノブが装着される装着用軸部（４３、５２）を各々有した操作子本体（４４、５０）が多数個設けられた電子機器（４０）の前記各装着用軸部に、前記複数のノブを一括して装着する電子機器の製造方法であって、前記ノブが装着されるべき前記複数の操作子本体の装着用軸部に対応して設けられた複数のノブ保持部であって少なくとも内縁部が弾性材で成る透孔（２５ａ、５６ａ）を各々が有するノブ保持部（２５ａ、５６）を有したシート状のノブ保持シート（２５、５５）の前記各ノブ保持部の前記透孔に、各１つのノブを嵌合して弾性的に保持させる工程と、前記複数のノブを保持したノブ保持シートを移動させて、前記各ノブの前記凹部の位置を、対応する操作子本体の前記装着用軸部の位置に合わせる工程と、前記各ノブの前記凹部に、対応する操作子本体の前記装着用軸部を嵌合することで、前記複数のノブを前記対応する操作子本体に装着する工程とを有し、前記複数のノブ保持部の、平面視における配列は、前記ノブが装着されるべき前記複数の操作子本体の装着用軸部の平面視における配列と一致していることを特徴とする。
【００１４】
なお、上記括弧内の符号は例示である。
【発明の効果】
【００１５】
本発明の請求項１、５によれば、多数のノブを電子機器の操作子本体の各装着用軸部に装着する作業を容易にすることができる。
【００１６】
請求項２によれば、装着されるべき全ノブをノブ保持シートに弾性的に保持させる作業が容易となる。
【００１７】
請求項３によれば、多数のノブを操作子本体の各装着用軸部に一括装着する際の、各ノブの回転方向の位置規制を容易にすることができる。
【００１８】
請求項４によれば、ノブ付き保持シートにおいて全ノブの下面位置を面一にすると共に、ノブを適切に保持した状態でノブ付き保持シートをノブ仮保持台から離脱させる作業を容易にすることができる。
【００１９】
請求項６によれば、ノブ付き保持シートを積み重ねることで、全ノブの下面位置が自動的に面一に揃う。
【００２０】
本発明の請求項７によれば、電子機器を製造するに当たって、多数のノブを電子機器の操作子本体の各装着用軸部に装着する作業を容易にすることができる。
【発明を実施するための最良の形態】
【００２１】
以下、本発明の実施の形態を図面を参照して説明する。
【００２２】
図１は、本発明の一実施の形態に係るノブ装着助成治具によってノブが装着される電子機器の斜視図である。この電子機器４０は、例えば、ミキサ装置として構成される。電子機器４０には、回転操作式の操作子４５とスライド操作式の操作子６０がそれぞれ多数設けられる。操作子４５、６０の摘みであるノブ２６、５１が、パネル部４２から上方に突出している。図７（ｂ）に示すように、電子機器４０において、基板４１に複数の操作子本体４４が設けられる。各操作子本体４４の上方に突出して設けられてパネル部４２を貫通している装着用軸部４３に、ノブ２６が装着されることで、操作子４５が構成される。操作子６０については、図８（ｃ）に示すように、操作子本体５０の装着用軸部５２にノブ５１が装着されて構成される。
【００２３】
本実施の形態のノブ装着助成治具は、複数の操作子４５、６０の装着用軸部４３、５２に各１つのノブ２６、５１を一斉に装着する作業を補助乃至助成するためのものである。ただし、電子機器４０に設けられている操作子４５、６０のすべてについて一斉にノブ２６、５１を装着することが必須ではなく、希望する一部の複数の操作子についてノブの一斉装着を実現できればよい。
【００２４】
図２〜図７に示す例では、一例として、回転操作式の操作子４５用のノブ装着助成治具を説明する。また、ミキサ装置である電子機器４０は例示であり、ノブ装着助成の対象となる機器は、操作子を多数有する電子機器であれば機器の種類は問わない。また、電子機器４０は、パネルが、多数連設された複数区画からなるような大型のミキサ装置等であってもよい。その場合は、複数のパネル区画の個々に対して、１区画用のノブ装着助成治具を１単位として用いてノブ装着を行える。
【００２５】
図２は、ノブ装着助成治具を用いたノブ付き保持シートを作成する工程を示すノブ装着助成治具の組図である。本実施の形態のノブ装着助成治具は、ノブ仮保持台１０、離脱用プレート２１、ノブ保持シート２５及びハシゴ型押さえ板２７を有して構成される。ノブ付き保持シート作成工程では、ノブ保持シート２５に複数のノブ２６が保持されたもの（以下、「ノブ付き保持シートＳＴ」と記す）が作成される（図５（ｂ）等参照）。
【００２６】
図３（ａ）は、ノブ仮保持台１０上に離脱用プレート２１が載置された状態を示す平面図、図３（ｂ）は同状態を示す正面図である。図４は、ノブ仮保持台１０上に離脱用プレート２１、ノブ保持シート２５及び複数のノブ２６が配設された状態を示す部分縦断面図である。
【００２７】
図３（ｂ）に示すように、ノブ仮保持台１０には、多数の軸体１５が配設される。各軸体１５の構成は同様であり、図４に示すように、いずれも、基部１６から仮位置決め用軸部１７が上方に突設されてなる。
【００２８】
軸体１５の仮位置決め用軸部１７の平面視における配列（図３（ａ）参照）は、操作子４５の装着用軸部４３（図７（ｂ）参照）の平面視における配列と一致している。ここで、図２〜図７に示す例では、軸体１５乃至操作子４５の配列が、図１に示す電子機器４０の操作子４５とは図面上一致していないが、図２〜図７に示す電子機器４０の外観形状は一例であり、実際のノブ装着助成治具における軸体１５の配列は、ノブ装着助成の対象となる機器の一括装着をしたい領域の操作子４５の配列と同じとする。
【００２９】
図３（ｂ）、図４に示すように、ノブ仮保持台１０は、いずれもある程度の重量のある金属等でなる下ベース１１、中板１２及び上板１３が下から順に積層されてなる。図４に示すように、中板１２には、操作子４５に対応して貫通孔１２ａが設けられている。貫通孔１２ａに、軸体１５の基部１６が挿入嵌合され、基部１６の下端が下ベース１１の上面に当接している。基部１６の上端１６ａは、上板１３の下面１３ｂに対してクリアランスを有している。
【００３０】
ノブ仮保持台１０は一体的に構成され、好ましくは、下ベース１１、中板１２及び上板１３が接着や固定具等で固定される。ノブ仮保持台１０は、軸体１５の仮位置決め用軸部１７を突出させる構成であればよく、３層構造をとる必要はなく、２つ以下の部材で構成されていてもよい。ノブ仮保持台１０は、後述するノブ保持シート２５の離脱操作の際に持ち上がってしまわない程度に適当な重量を有しているのが望ましい。
【００３１】
上板１３、離脱用プレート２１にはそれぞれ、軸体１５の基部１６よりも小さく且つ軸体１５の仮位置決め用軸部１７より大きい貫通孔１３ａ、２１ｂが、中板１２の貫通孔１２ａに対応して設けられている。ノブ仮保持台１０において、貫通孔１３ａは、貫通孔１２ａと同心である。上板１３にはまた、ノブ保持シート２５を受けるためのボルト等の受け部１４が分散して適所に複数設けられる（図３（ａ）参照）。
【００３２】
離脱用プレート２１にはまた、受け部１４に対応して貫通孔２１ａが形成されている。離脱用プレート２１の図３（ａ）における左右方向の端部には、取手２２が設けられる。後述するノブ付き保持シート作成工程において、ノブ仮保持台１０上に離脱用プレート２１が載置され、さらにその上からノブ保持シート２５が積層された状態で、貫通孔２１ｂは、貫通孔１２ａと同心となる。
【００３３】
図５（ａ）は、１つのノブ２６の下面図である。軸体１５の仮位置決め用軸部１７は、図４、図５（ａ）に示すように、切欠部１７ａにより円柱の一部を縦方向に切り欠いた形状をなす。ノブ２６は、外径が上方に向かって縮径する側面視台形であり、内側に凹部２６ａが形成される。凹部２６ａには、切欠部１７ａに対応する回転位置規制部２６ａａが形成されていて、凹部２６ａの断面形状は、仮位置決め用軸部１７よりも大きく仮位置決め用軸部１７の横断面形状と相似形状である。図４に示すように、仮位置決め用軸部１７の円柱形状に相当する部分の外径はＤ１であり、凹部２６ａの内径はＤ２であり、大小関係は、Ｄ２＞Ｄ１である。軸体１５、ノブ２６、及びこれらに対応する貫通孔等の構成は、１つを例示したが、すべて同じ寸法、構成である。いうまでもなく、ノブ２６の高さ寸法、すなわち、上面と下面２６ｂ（図４参照）の距離も全ノブ２６で共通である。
【００３４】
ノブ保持シート２５は、手で撓ませられる程度に弾性に富む樹脂等の弾性材で構成される。離脱用プレート２１は、ノブ保持シート２５よりも剛性の高い金属または樹脂等で構成される。ノブ保持シート２５には、軸体１５に対応する位置に、ノブ保持部としてのノブ保持孔２５ａが形成される（図２参照）。ノブ保持孔２５ａは透孔であり、その内径は、ノブ２６の下部の外径よりも小さく、ノブ２６の上部の外径よりもやや大きい程度である。ノブ保持シート２５におけるノブ保持孔２５ａの平面視における配列は、ノブ仮保持台１０における仮位置決め用軸部１７の平面視における配列と同じである。
【００３５】
ハシゴ型押さえ板２７（図２参照）は、２本の柱部を複数のブリッジ部２８が掛け渡されたハシゴのような形状をしている（全体は図示せず）。使用時において、上記２本の柱部は、例えば、図３（ａ）の左右方向に沿って、離脱用プレート２１の図面上の上部と下部とに対応する位置に設けられる。ブリッジ部２８は、図３（ａ）の上下方向に沿って、仮位置決め用軸部１７−１の左側、仮位置決め用軸部１７−２、１７−３の間、仮位置決め用軸部１７−４、１７−５の間、仮位置決め用軸部１７−６、１７−７の間、及び、仮位置決め用軸部１７−８の右側に対応する位置にそれぞれ設けられる。
【００３６】
ハシゴ型押さえ板２７は、ノブ保持シート２５を上から押さえるための部材であるので、取手２２、ノブ２６及び受け部１４を避けた位置にブリッジ部２８に相当する押圧部が設けられればよく、ハシゴ型に限られず、形状は問わない。
【００３７】
図６（ａ）〜（ｃ）は、「ノブ付き保持シート作成工程」の作業手順を示すノブ装着助成治具の模式図である。図７は、ノブ付き保持シートＳＴを用いてノブ２６を一括して電子機器４０の操作子本体４４に装着する「ノブ装着工程」の作業手順を示すノブ付き保持シートＳＴ及び電子機器４０の模式図である。
【００３８】
図７（ａ）、（ｂ）に示すように、操作子本体４４の装着用軸部４３は、軸体１５の仮位置決め用軸部１７と同様に、切欠部４３ａにより円柱の一部を縦方向に切り欠いた形状をなす。装着用軸部４３の円柱形状に相当する部分の外径はＤ３であり、この外径Ｄ３は、ノブ２６の凹部２６ａの内径Ｄ２とほぼ等しいか内径Ｄ２よりやや大きい。すなわち、ノブ２６が装着用軸部４３に装着される際には、凹部２６ａに装着用軸部４３が圧入状態で嵌合される。
【００３９】
ここで、「ノブ装着工程」の開始時においては、すべての操作子本体４４の装着用軸部４３の切欠部４３ａの回転方向の位置、すなわち、水平方向における向きを所定の向きに統一しておく。一方、仮位置決め用軸部１７の切欠部１７ａの向き（回転方向における形成位置）は、全仮位置決め用軸部１７で共通であり、それらは、操作子本体４４の装着用軸部４３の切欠部４３ａの上記統一した向きと一致した設計となっている。
【００４０】
かかる構成において、ノブ付き保持シート作成工程では、図２、図６等に示すように、次の手順にて作業がなされる。
【００４１】
まず、ノブ仮保持台１０の上に、離脱用プレート２１を載置する。その際、貫通孔２１ａに受け部１４、貫通孔２１ｂに軸体１５の仮位置決め用軸部１７がそれぞれ挿通されるように配置する。次に、貫通孔２１ｂを貫通して上方に突出した仮位置決め用軸部１７に、ノブ２６の凹部２６ａを嵌合する。凹部２６ａの内径Ｄ２（図４参照）は仮位置決め用軸部１７の外径Ｄ１より十分に大きいので、両者はクリアランスを有する遊嵌状態となる。また、受け部１４の上端１４ａが、離脱用プレート２１の平坦な上面２１ｃよりも上方に少し突出する（図４参照）。
【００４２】
また、回転方向（円周方向）において、仮位置決め用軸部１７の切欠部１７ａと凹部２６ａの回転位置規制部２６ａａとの位置を合わせないと、嵌合ができないようになっているので、必然的に、仮位置決め用軸部１７に対するノブ２６の回転方向における位置が規定される。さらに、ノブ２６の下面２６ｂが、離脱用プレート２１の上面２１ｃに当接して、下面２６ｂの高さ方向の位置が揃う。
【００４３】
ところで、従来、ノブ２６は、その品質を目視検査しつつ袋詰めしていたが、本実施の形態では、その検査作業を行いつつ、袋詰めする代わりに仮位置決め用軸部１７に嵌合する。また、仮位置決め用軸部１７に対するノブ２６の回転方向の位置を合わせる必要があるが、両者が遊嵌関係であるので、従来のように、手作業にて操作子本体４４の装着用軸部４３に直接圧入嵌合することに比べれば、はるかに平易な作業である。
【００４４】
次に、上方から、ノブ保持シート２５を下降させ、ノブ保持孔２５ａに、対応するノブ２６を嵌合する。その作業は、個々に手で行ってもよいが、本実施の形態では、ハシゴ型押さえ板２７を利用する。すなわち、まず、すべてのノブ保持孔２５ａの位置をノブ２６に合わせてノブ保持シート２５を載置すると、各ノブ保持孔２５ａからノブ２６の上端部が少しだけ突出した状態となる。各ノブ保持孔２５ａからのノブ２６の上端部の突出量は問わず、従って、僅かでもよく、逆に、ノブ２６の大部分が突出する構成であってもよい。
【００４５】
この状態で、ノブ保持シート２５を上からハシゴ型押さえ板２７で押さえつけると、ノブ保持シート２５が、受け部１４の上端１４ａに当接した状態で止まる（図４、図６（ｂ）参照）。ノブ保持シート２５は、撓みが少ない水平状態となる。これにより、各ノブ保持孔２５ａに、対応するノブ２６が一斉に嵌合される。ノブ保持シート２５は一体に構成されるから、ノブ保持孔２５ａの内縁部も、当然に弾性を有している。従って、ノブ保持孔２５ａには各１つのノブ２６が嵌合され、ノブ保持孔２５ａは、対応するノブ２６をその外側から弾性的に保持する状態となる。
【００４６】
次に、ハシゴ型押さえ板２７を取り外し、離脱用プレート２１の取手２２を持って、離脱用プレート２１を上方に変位させる。すると、離脱用プレート２１の上面２１ｃによってノブ２６の下面２６ｂを上方に押すので、ノブ保持シート２５と一緒に全ノブ２６がノブ仮保持台１０から離脱される（図６（ｃ）参照）。全ノブ２６が離脱用プレート２１によって下方から均一に付勢されるので、ノブ保持孔２５ａに無理な力が作用せず、ノブ保持孔２５ａがノブ２６を保持した状態が、適切に保たれる。離脱用プレート２１上に乗ったものが、完成したノブ付き保持シートＳＴである。
【００４７】
ところで、ノブ仮保持台１０の軸体１５の基部１６の上端１６ａは、上板１３の下面１３ｂに対してクリアランスを有し、軸体１５がわずかに上下に可動し得るので（図４参照）、各仮位置決め用軸部１７に対するノブ２６の遊嵌状態にばらつきがあったとしても、ノブ２６が抜けやすくなっている。
【００４８】
このようにして作成された複数のノブ付き保持シートＳＴは、例えば、図５（ｂ）に示すように、底面が平らな箱状のトレイ５３に積層収容される。同じノブ付き保持シートＳＴの複数を、それらの水平方向の位置を揃えて積層すると、ノブ２６が上下方向に直線的に積層状態となる。ここで、各ノブ２６の高さ寸法が共通であるので、各ノブ付き保持シートＳＴにおいて、各ノブ２６の下面２６ｂの位置が揃って自動的に面一となる。仮に、ノブ付き保持シートＳＴの積層収容前に下面２６ｂの位置が不揃いであったとしても、トレイ５３に収容されることで、ノブ２６の下面２６ｂの位置が矯正され、それらの面一状態が自動的に確保される。
【００４９】
複数のノブ付き保持シートＳＴは、次の「ノブ装着工程」が行われる作業場（別会社であってもよく、同一会社の同一工場内の異なる作業場であってもよい）までトレイ５３ごと運ばれる。ノブ装着工程では、次のような手順で作業がなされる。
【００５０】
まず、図７（ａ）に示すように、ノブ付き保持シートＳＴを電子機器４０のパネル部４２の上方から下降させ、ノブ２６を装着しようとする操作子４５の装着用軸部４３の位置に、ノブ付き保持シートＳＴの各ノブ２６の位置を合わせる。この位置合わせにより、ノブ２６の凹部２６ａの回転位置規制部２６ａａ（図５（ａ）参照）と装着用軸部４３の切欠部４３ａとの向きも合致する。各ノブ２６が対応する装着用軸部４３の上に乗った状態になったら、各ノブ２６を上から手等で押さえつけることで、各装着用軸部４３にノブ２６の凹部２６ａを嵌め込む。すなわち、圧入状態で嵌合する。この作業では、手の平で複数のノブ２６を同時に押せるので、１個ずつ装着する作業よりは簡単である。なお、複数のノブ２６の頭部を同時に押さえることが可能な板等の治具を用いてもよい。ノブ２６の装着用軸部４３に対する上下方向の位置は、例えば、凹部２６ａの天井面と装着用軸部４３の上端との当接によって規定される（図７（ｂ）参照）。
【００５１】
その後、ノブ保持シート２５だけを取り外す。ノブ２６は装着用軸部４３に圧入状態にあるので、例えば、ノブ保持シート２５の端部を持って上方に引っ張れば、ノブ保持シート２５だけが自然に離脱され、ノブ２６は持ち去られることなく装着用軸部４３に残る。ノブ２６の回転位置規制部２６ａａと装着用軸部４３の切欠部４３ａとの係合により、全ノブ２６が回転方向における同じ向きを向く。ノブ保持シート２５は、何回も利用可能であり、ノブ装着工程の終了後には、次回のノブ付き保持シート作成工程の作業場に戻される。
【００５２】
ノブ付き保持シート作成工程及びノブ装着工程のうち、一部または全部を、自動機械によって行うようにしてもよい。
【００５３】
本実施の形態によれば、ノブ２６を装着しようとする操作子４５と同じ平面視配列を有するノブ保持シート２５のノブ保持孔２５ａに、ノブ２６を弾性保持させて、装着用軸部４３にノブ２６を一括して装着するので（図７（ａ）参照）、多数のノブ２６を操作子４５の装着用軸部４３に装着する作業を容易にすることができる。
【００５４】
また、ノブ付き保持シート作成工程において、ノブ仮保持台１０の仮位置決め用軸部１７にノブ２６を遊嵌状態で仮保持させ、ノブ保持シート２５のノブ保持孔２５ａに、ノブ２６を一斉に嵌合できるので（図６（ａ）、（ｂ）参照）、装着されるべき全ノブ２６をノブ保持シート２５に弾性的に保持させる作業が容易となる。
【００５５】
しかも、仮位置決め用軸部１７の切欠部１７ａとノブ２６の凹部２６ａの回転位置規制部２６ａａと操作子本体４４の装着用軸部４３の切欠部４３ａとの位置関係及び係合関係により（図５（ａ）、図７（ａ）参照）、ノブ装着工程の開始時において、多数のノブ２６を各装着用軸部４３に一括装着する際の、各ノブ２６の回転方向の位置規制を容易にすることができる。なお、ノブ２６の装着助成対象が回転操作式の操作子でないとしても、水平方向における向きの規定が必要な操作子であれば、上記した切欠部１７ａ、４３ａ及び回転位置規制部２６ａａと同じような係合部とそれに対応するものを適用することは有用である。
【００５６】
また、ノブ２６の下面２６ｂが当接する離脱用プレート２１を設けたので、ノブ付き保持シートＳＴにおいて全ノブ２６の下面２６ｂを面一にすると共に、各ノブ２６を適切に保持した状態でノブ付き保持シートＳＴをノブ仮保持台１０から離脱させる作業を容易にすることができる。しかも、各ノブ２６の高さ方向の寸法が共通であるので、ノブ付き保持シートＳＴを積み重ねて収容、運搬することで、ノブ装着工程の開始時まで、全ノブ２６の下面２６ｂの面一状態を維持することができる。
【００５７】
なお、本実施の形態では、仮位置決め用軸部１７の切欠部１７ａと装着用軸部４３の切欠部４３ａの向きをすべてで統一したが、切欠部１７ａと切欠部４３ａとは、対応するもの同士の向きが一致していればよく、すべてが同じ向きを向いている必要はない。
【００５８】
また、ノブ２６の回転方向の位置を規制するための機構としては、切欠部１７ａ、４３ａとノブ２６の凹部２６ａの回転位置規制部２６ａａとの組み合わせという構成に限られない。例えば、突起とそれに対応する凹部の組み合わせのように、互いに係合して回転方向の位置を規制できる機構であればよい。
【００５９】
なお、多数のノブ２６の装着を助成する観点からは、ノブ仮保持台１０には、助成が必要な操作子本体４４の装着用軸部４３に対して平面視配列が同じである仮位置決め用軸部１７が少なくとも設けられると共に、ノブ保持シート２５には、平面視配列が同じであるノブ保持孔２５ａが少なくとも設けられていればよい。従って、ノブ仮保持台１０やノブ保持シート２５に、余計な仮位置決め用軸部１７やノブ保持孔２５ａが存在していてもよく、作業時には、助成が必要なものに対応する仮位置決め用軸部１７にだけノブ２６を嵌合すればよい。
【００６０】
なお、１組のノブ装着助成治具は、１台の電子機器４０の全操作子４５におけるノブ２６の一斉装着を担うように構成しなくてもよい。例えば、電子機器４０の全操作子の数が５０〜６０個程度ならば、電子機器４０の１台に対してノブ装着助成治具は１種類１組で十分である。しかしながら、ミキサ装置には、操作子が、図１に示すものよりもはるかに多数（例えば、６００個）設けられるものもある。その場合は、複数の領域にパネル部を分けて、各領域毎に異なる種類のノブ装着助成治具を構成してもよい。特に、分けた複数の領域における操作子の配列が同じであれば、それらの領域については、同一のノブ装着助成治具を適用することも可能である。
【００６１】
なお、本実施の形態では、ノブ２６を操作子４５の装着用軸部４３に装着した後は、ノブ保持シート２５を取り去り、再利用したが、これに限られず、ノブ保持シート２５を、パネル部４２に接着して電子機器４０の一部となるように構成してもよい。その場合は、ノブ保持シート２５の裏面に接着剤を施しておき、ノブ２６の装着後に、ノブ保持シート２５全体を水平に押し下げてパネル部４２に対して貼り付ける。あるいは、接着剤を、ノブ保持シート２５ではなくパネル部４２の上面に施してもよい。いずれの側に接着剤を施す場合であっても、接着剤が設けられている面には、事前に保護シートを貼り付けておき、遅くとも、ノブ装着工程における装着用軸部４３とノブ２６との位置合わせの前までに、上記保護シートを取り外すようにするのがよい。
【００６２】
なお、本実施の形態では、ノブ保持シート２５において、ノブ保持部の一例として、ノブ保持シート２５自身の弾性を利用した透孔であるノブ保持孔２５ａを例示した（図２参照）。しかしこれに限るものではなく、図８（ａ）に例示するように、ノブ２６を弾性的に保持できる構成であればよい。なお、ノブ２６の上端部形状及びノブ保持孔２５ａを特殊に構成して、ノブ２６の上端部を弾性的に挟持、あるいは内側から弾性的に保持できる構成としてもよい。
【００６３】
図８（ａ）に、ノブ保持シートの変形例を示す。この例では、ノブ保持シート２５に相当するノブ保持シート５５は、操作子本体４４の装着用軸部４３の平面視配列と同じ配列の複数の孔５５ａを有し、各孔５５ａに、シリコンゴム等のドーナツ状の弾性体５６が固定される。各弾性体５６には、ノブ保持シート２５のノブ保持孔２５ａ（図２参照）に相当するノブ保持孔５６ａが形成される。従って、ノブ付き保持シート作成工程（図６（ａ）、（ｂ））では、１つのノブ保持孔５６ａに、対応するノブ２６が嵌合保持される。ノブ２６を弾性保持するための弾性という意味においては、ノブ保持シート５５自身の弾性は必要なく、剛性の高い素材で構成してもよい。
【００６４】
ところで、本実施の形態では、回転操作式の操作子４５用のノブ装着助成治具を説明したが、スライド操作式の操作子６０（図１参照）についても、一斉装着を実現するのは可能である。
【００６５】
図８（ｂ）は、図１に示す電子機器４０の部分斜視図である。図８（ｃ）は、操作子６０の縦断面における模式図である。図８（ｃ）に示すように、各操作子６０は、操作子本体５０の、パネル部４２から突出した装着用軸部５２に、ノブ５１の凹部５１ａが圧入嵌合されて構成される。
【００６６】
ノブ５１を装着するための操作子６０用のノブ装着助成治具としては、上述した操作子４５用のノブ装着助成治具と基本構成は同じであり、ノブ保持シート２５、ノブ仮保持台１０、離脱用プレート２１、ハシゴ型押さえ板２７のいずれも、それぞれ、ノブの形状や配置の違いに応じた違いがあるだけである。例えば、ノブ保持孔２５ａの形状は長方形となる。ノブ５１において、回転方向位置規制のための回転位置規制部２６ａａ（図５（ａ）参照）に相当する部分を設けるために、凹部５１ａの断面形状は、装着用軸部５２の形状に対応する形状とする。
【００６７】
ここで、ノブ５１についても、上方に向かって外側面が縮小するようなテーパを外側面に付けるのが望ましい。そうすると、ノブ付き保持シート作成工程において、ノブ保持シート２５を、それらの各ノブ保持孔２５ａを対応するノブ５１の位置に合わせる仮置きする作業（図６（ａ）参照）がやりやすくなる。
【００６８】
また、ノブ装着助成治具を、ノブ２６及びノブ５１を同時に一斉装着するような構成としてもよい。すなわち、それぞれ複数の操作子４５と操作子６０とを含んだ領域に対応するように、ノブ保持シート２５等の各治具を構成する。この場合は、ノブ付き保持シート作成工程及びノブ装着工程において、図８（ｂ）に示すように、ノブ５１の位置をスライドの上限（ノブ２６にもっとも近い位置）に位置させた状態で作業がなされるようにすれば、各治具の大きさを最も小さく設計することができる。
【００６９】
なお、ノブ装着助成治具は、ノブ仮保持台１０、離脱用プレート２１、ノブ保持シート２５（乃至５５）及びハシゴ型押さえ板２７の組み合わせであったが、多数のノブの一斉装着を可能にする観点からは、これらの組み合わせは必須でなく、最低限、ノブ保持シート２５（乃至５５）だけの構成としてもよい。または、ノブ保持シート２５（乃至５５）にノブ仮保持台１０を加えた構成としてもよく、さらには離脱用プレート２１を加えた構成としてもよい。
【００７０】
なお、装着助成対象の操作子は、回転、スライド操作式の操作子４５、６０に限られず、押しボタン式、傾倒切り替え式等、いずれのタイプの操作子でもよい。
【図面の簡単な説明】
【００７１】
【図１】本発明の一実施の形態に係るノブ装着助成治具によってノブが装着される電子機器の斜視図である。
【図２】ノブ装着助成治具を用いたノブ付き保持シートを作成する工程を示すノブ装着助成治具の組図である。
【図３】ノブ仮保持台上に離脱用プレートが載置された状態を示す平面図（図（ａ））、正面図（図（ｂ））である。
【図４】ノブ仮保持台上に離脱用プレート、ノブ保持シート及びノブが配設された状態を示す部分縦断面図である。
【図５】１つのノブの下面図（図（ａ））、同じノブ付き保持シートの複数を、それらの水平方向の位置を揃えて積層した状態を示す側面図（図（ｂ））である。
【図６】「ノブ付き保持シート作成工程」の作業手順を示すノブ装着助成治具の模式図（図（ａ）〜（ｃ））である。
【図７】ノブ付き保持シートを用いてノブを一括して電子機器の操作子本体に装着する「ノブ装着工程」の作業手順を示すノブ付き保持シート及び電子機器の模式図である（（ａ）、（ｂ））。
【図８】ノブ保持シートの変形例を示す縦断面図（図（ａ））、図１に示す電子機器の部分斜視図（図（ｂ））及び操作子の縦断面における模式図（図（ｃ））である。
【符号の説明】
【００７２】
ＳＴ  ノブ付き保持シート、  １０  ノブ仮保持台、  １５  軸体、  １７  仮位置決め用軸部、  １７ａ、４３ａ  切欠部（回転位置規制対応部）、  ２１  離脱用プレート、  ２１ｂ  貫通孔、  ２１ｃ  上面、  ２６ｂ  下面、  ２５、５５  ノブ保持シート、  ２５ａ  ノブ保持孔（ノブ保持部、透孔）、  ２６、５１  ノブ、  ２６ａ、５１ａ  凹部、  ２６ａａ  回転位置規制部、  ４０  電子機器、  ４２  パネル部、  ４３、５２  装着用軸部、  ４４、５０  操作子本体、  ４５、６０  操作子、  ５６  弾性体（ノブ保持部）、  ５６ａ  ノブ保持孔（透孔）
【図１】
2009087665.tif 000003
【図２】
2009087665.tif 000004
【図３】
2009087665.tif 000005
【図４】
2009087665.tif 000006
【図５】
2009087665.tif 000007
【図６】
2009087665.tif 000008
【図７】
2009087665.tif 000009
【図８】
2009087665.tif 000010